(57)【要約】【課題】テンプレート画像などが描かれた補助シートを簡単に利用できる電子黒板装置に関する。【解決手段】本発明は、透明な筆記シートと、この筆記シートに書き込まれた筆記画像を読み取る読取り装置と、前記透明な筆記シートの裏面に対向して設けられたサポートボードと、このサポートボードと前記筆記シートの間に設けられた補助シート収納部とを有することを特徴としている。【選択図】図１
2009000993.tif 000002
【特許請求の範囲】
【請求項１】
透明な筆記シートと、この筆記シートに書き込まれた筆記画像を読み取る読取り装置と、前記透明な筆記シートの裏面に対向して設けられたサポートボードと、このサポートボードと前記筆記シートの間に設けられた補助シートとを有することを特徴とする電子黒板装置。
【請求項２】
前記補助シートは、着脱交換可能であることを特徴とする請求項１項記載の電子黒板装置。
【請求項３】
前記サポートボード表面に、前記補助シートを複数収納する補助シート収納部を有することを特徴とする請求項２項記載の電子黒板装置。
【請求項４】
筆記シートと、この筆記シートに書き込まれた筆記画像を読み取る読取り装置と、前記筆記シートに設けられた補助シート収納部とを有することを特徴とする電子黒板装置。
【請求項５】
前記補助シートに描かれている図形を記録した記憶手段を有し、前記筆記シートの筆記画像を、読み取り装置によって読取った画像と合成して記録、或いは印刷する手段を有することを特徴とする請求項４項記載の電子黒板装置。
【発明の詳細な説明】
【技術分野】
【０００１】本発明は、電子黒板装置の筆記シートに重ねて補助シートを配置することが可能な電子黒板装置に関するものである。
【背景技術】
【０００２】電子黒板装置は、白色の筆記シートに、マーカーで文字や図形を記入すると共に、この記入した筆記面を光学センサーによって、画像情報として読み取り、読み取った画像情報を縮小して紙に印刷し、或いは記録する機能を有することを特徴としている。【０００３】電子黒板装置は、本来的に利用者がマーカーによって筆記するものであり、正確な直線や円形状などを描くことが困難である。
しかしながら、テンプレートとして、格子状の線や、直線、円、議事録の書式、或いはスポーツの競技エリアを示す形状の画像が望まれている。特開平８−１５２８５９号には、ホワイトボードなどに磁気吸着させる情報掲示シートが示されている。
この情報提示シートは、プリンタ印字が可能である。
また、特許文献ではないが、従来、樹脂の表面に微細な開口を設けることによって、のりなし吸着することができる吸着シートが知られている。【０００４】
【特許文献１】特開平８−１５２８５９号
【発明の開示】
【発明が解決しようとする課題】
【０００５】上記特許文献１は、強磁性物体表面に磁気によって吸着するものであるため、磁性物体表面を有していない電子黒板装置については使用できない。
また、筆記シートを移送して本体裏面にて、書込み画像を読取る電子黒板装置において使用する場合、本体裏面への回り込みの際、吸着シートが剥がれてしまうため、電子黒板装置における印刷が困難であった。【０００６】従来の吸着シートは、のりなしで着脱が可能ではあるが、剥がした吸着シートの収納が面倒であり、貼り付けたままにするしかなかった。
また、例えば多面筆記シートを有する電子黒板装置や、筆記シートを移送して本体裏面にて、書込み画像を読取る電子黒板装置に使用すると、本体裏面への回り込みの際、吸着シートに皺がよって剥がれる原因となってしまうという問題があった。
これは、筆記シートに対し、補助シートの、裏面への回り込み時の半径が大きくなることに起因する。
この回り込み半径の違いにより、移動量が補助シートの方が大きくなり、この移動量が所定以上大きくなると、補助シートが書込みシーとから剥がれ、その後吸着する。この動作が連続することによる。
【課題を解決するための手段】
【０００７】上記課題を解決するため、本発明は、電子黒板の筆記シート或いは筆記シートの裏に配置されるサポートボードに補助シート収納部を設けることを特徴としている。【０００８】また、電子黒板装置において、補助シート画像記憶装置を有し、補助シートの画像と筆記シートに筆記した画像とを合成して記憶、或いは印刷することを可能としている。
【発明の効果】
【０００９】本発明によれば、接着剤を用いることなく、テンプレートとなる補助シートと筆記シートとを重ねて表示することができ、また、この補助シートの画像と筆記シートに筆記した画像とを合成して印刷することが可能となる。
更に、補助シートを使用しない場合に、速やかに電子黒板装置内に収納することが可能となる。
【発明を実施するための最良の形態】
【００１０】以下、本発明を実施するための最良の形態について、図面を参照して詳細に説明する。
【実施例】
【００１１】以下、図に沿って本発明の一実施例を説明する。
図１は本発明の一実施例を示す正面図である。
１は電子黒板本体、２は本体の表面において、マーカーによって書き込みを行う透明な筆記シート、３はこの筆記の移動指示や、筆記シートの書込み面を捜査し、筆記画像情報の読込みを行う指示、或いは読込んだデータを図示しないプリンタで印刷する指示などを行う操作パネル、４は例えばテンプレートとして用いる補助シート、５はこの補助シートを収納するシート収納部である。
尚、筆記シート２の背後には白色のサポートボードが配置されており、このサポートボードはマーカーによる筆記圧を受けるため凹凸の無い平面を有している。【００１２】本実施例装置の側面断面図を図２に示す。
シート収納部５は、サポートボード７の表面に補助シート収納用の隙間を設けて透明板６を配置することによって構成されている。
尚、８は電子黒板本体のフレームを示しており、このフレーム８の下部にはマーカーやイレイザーを配置するトレイが設けられている。
シート収納部５には、テンプレートとして、例えば、格子状の線の描かれたものや、所定のフォーマットで１．会議議事録のテーマ、２．場所、３．日時、４．参加者などが記載されたものや、地図、設計図、スポーツのグランド配置図などが描かれた数種類の補助シート４が収納される。【００１３】補助シート４の表面には上述のテンプレート画像が描かれており、裏面はサポートボードと同じ色（白色）に配色されており、この裏を筆記シート面に対向するようにシート収納部に収納されている。
また、この補助シート４の上部にはタグ部が設けられており、このタグにそのテンプレートの名称、例えば、横線、議事録、地図、配置図などと記載されている。
利用者は、このシート収納部５から、必要とする補助シート４を選択して、画像が描かれた表面を表示するように裏がえして入れ直す。【００１４】この補助シートに記載されたテンプレート画像は、図示しない記憶装置にも記録されており、筆記シートの筆記面を読取る際に、この記憶装置から読み出されて、筆記画像と合成されて記録、或いは印刷される。【００１５】補助シート４の表面は、図示しないマーカーにより筆記が可能であり、また、一般のプリンタによって、印刷が可能である。
従って、この電子黒板利用者は、例えばパーソナルコンピュータを用いて描いたテンプレート画像を、何も描かれていない補助シートにプリンターによって、印刷して利用することができる。【００１６】本実施例装置では、このように利用者がテンプレート画像を作成する場合は、そのテンプレート画像を、先の記録装置に記録しなければならない。このテンプレート画像の記録は、パソコンを電子黒板装置に接続し、パソコンの操作にて行う。【００１７】補助シートの収納部を筆記シート上に設けた第２の実施例を図３に示す。
この場合の筆記シートは従来の白色シートと、透明なカバーシートによって構成される。
透明なカバーシートの両側端部及び下端部を筆記シートに接着して、上端部に開口を有するポケット状のシート収納部を構成している。【００１８】操作パネル３によって、コピーを指示するボタンが押されると、図示しないモータが駆動され、補助シートが収納された筆記シート２は、モータによって、移送される。
その移送動作に連動して、図示しない光源及び読取り装置は駆動され、筆記シート２は、光源部付近で照明され、読取装置で画像が順次、縦長のライン状に取込まれる。
本実施例では、補助シート４は、筆記シート２内に収納されているため、電子黒板本体の裏面への回り込みの際にも、剥がれや皺の発生は無い。【００１９】読取り装置によって、ライン毎に読取られた画像データは、内部メモリで、合成されて１枚の画像データに構成される。
再度、補助シート４の収納された筆記シート面を、電子黒板装置前面に配置するためには、操作パネル３によって、筆記シート２の移送を行う。【００２０】本第２の実施例装置では、補助シートは通常の紙の資料でよく、プリンターで印刷した資料を補助シート収納部に収納し、書込みシートの筆記と共に、電子黒板装置において印刷が可能となる。【００２１】本発明は、上述の実施例に限定されるものではなく、例えば、図４に示すように、読取りシート上の書込み画像を読取る方式は、読取りシート表面をスキャナー９が移動して読取る方式でもよい。
このスキャナー９が移動して読取る方式の場合は、先の実施例で説明した、テンプレート画像を記憶しておく記録装置は不要となる。【００２２】また、補助シートや補助シート収納部の大きさやパターン形状は、上記実施例の大きさやパターンに限定されない。
更に、補助シートは、白以外の色を用いてもよい。
【産業上の利用可能性】
【００２３】本発明は、接着剤を用いることなく、補助シートを書込みシート上に配置し、その状態で印刷が可能となり、電子黒板装置の用途が広がる。
【図面の簡単な説明】
【００２４】
【図１】図１は、本発明の第１の実施例の形態に係る主要な構成を示す正面図である。
【図２】図２は、本発明の第１の実施例の形態に係る主要な構成を示す側面断面図図である。
【図３】図３は、本発明の第２の実施例の形態に係る主要な構成を示す正面図である。
【図４】図４は、本発明の第３の実施例の形態に係る主要な構成を示す正面図である。
【符号の説明】
【００２５】２：筆記シート
３：操作パネル
４：補助シート
５：補助シート収納部
【図１】
2009000993.tif 000003
【図２】
2009000993.tif 000004
【図３】
2009000993.tif 000005
【図４】
2009000993.tif 000006